(57)【特許請求の範囲】
【請求項１】
画像形成トナーを用いて光透過媒体に画像を形成する画像形成手段と、
前記画像のｎ×ｍ画素の領域毎に、前記光透過媒体と光反射媒体とを接着させる接着面積率を色情報に応じて設定する接着処理手段と、
前記接着面積率に基づいて前記光透過媒体の接着領域に接着トナーを付着する付着手段と、
前記光透過媒体に接着トナーが付着した面に前記光反射媒体が接するように整合し、定着する定着手段とを有することを特徴とする画像形成装置。
【請求項２】
前記接着処理手段は、前記画像の色情報が最高彩度点近傍の色であって、かつ前記画像の領域において画像形成トナーが付着されないドット位置を、前記接着トナーを付着するドット位置として設定することを特徴とする請求項１記載の画像形成装置。
【請求項３】
前記接着処理手段は、前記画像の色情報がホワイトポイント近傍の色であって、かつ前記画像の領域において画像形成トナーが付着されないドット位置を、前記接着トナーを付着するドット位置として設定することを特徴とする請求項１記載の画像形成装置。
【請求項４】
前記接着処理手段は、前記画像の色情報がブラックの色であって、かつ前記画像の領域において画像形成トナーが付着されるドット位置を、前記接着トナーを付着するドット位置として設定することを特徴とする請求項１記載の画像形成装置。
【請求項５】
前記接着処理手段は、前記画像の最高彩度点近傍の領域を、接着させない領域として設定することを特徴とする請求項１記載の画像形成装置。
【請求項６】
前記接着処理手段は、前記画像のホワイトポイント近傍の領域を、接着させない領域として設定することを特徴とする請求項１記載の画像形成装置。
【請求項７】
前記接着処理手段は、前記画像のブラックポイント近傍の領域を、接着させる領域として設定することを特徴とする請求項１記載の画像形成装置。
【請求項８】
前記接着処理手段は、前記画像の明度と彩度とに基づいて、前記接着面積率を設定することを特徴とする請求項１記載の画像形成装置。
【請求項９】
前記接着処理手段は、前記画像の色分布に応じて前記接着面積率を変更することを特徴とする請求項１記載の画像形成装置。
【請求項１０】
前記接着処理手段は、前記画像の領域において３色以上の画像形成トナーが付着されるドット位置を、前記接着トナーを付着するドット位置として設定することを特徴とする請求項１記載の画像形成装置。
【請求項１１】
前記接着トナーの定着後の屈折率は、前記画像形成トナーの屈折率よりも小さいかまたは同等であることを特徴とする請求項１記載の画像形成装置。
【請求項１２】
色変換パラメータを参照して色変換を行う色変換手段を有し、前記色変換手段は前記接着トナーの付着状態が決定された後に、前記色変換パラメータを設定することを特徴とする請求項１記載の画像形成装置。
【請求項１３】
画像形成トナーを用いて光透過媒体に画像を形成する画像形成工程と、
前記画像のｎ×ｍ画素の領域毎に、前記光透過媒体と光反射媒体とを接着させる接着面積率を色情報に応じて設定する接着処理工程と、
前記接着面積率に基づいて前記光透過媒体の接着領域に接着トナーを付着する付着工程と、
前記光透過媒体に接着トナーが付着した面に前記光反射媒体が接するように整合し、定着する定着工程とを有することを特徴とする画像形成方法。
【請求項１４】
請求項１３記載の画像形成方法により作成されることを特徴とするプリント媒体。
【請求項１５】
前記プリント媒体は、光透過媒体と光反射媒体とが接着されていない画像領域を含むことを特徴とする請求項１４記載のプリント媒体。
【請求項１６】
前記画像領域は、画像の最高彩度点近傍の領域であることを特徴とする請求項１５記載のプリント媒体。
【請求項１７】
前記画像領域は、画像のホワイトポイント近傍の領域であることを特徴とする請求項１５記載のプリント媒体。
【発明の詳細な説明】
【技術分野】
【０００１】
本発明は、高光沢、高彩度な画像を得ることが可能な画像形成装置、画像形成方法およびプリント媒体に関し、電子写真方式を用いたカラー複写機、カラープリンタ、カラーＦＡＸ等の画像形成装置に好適な技術に関する。
【背景技術】
【０００２】
一般的にカラー写真は、文字画像や線画像に比べて、画像の階調性、粒状性、色再現性などの画質面で優れた特性を有することが要求され、また写真表面の光沢性を有することが望まれる。即ち、鏡面に仕上げられ、光沢のある写真や絹目と称されるマット面に仕上げられた写真が望まれる。
【０００３】
電子写真においても、画像表面を鏡面に仕上げるために、光透過媒体に画像を形成し、光透過媒体の画像担持面に裏打ち層を貼り合わせることにより、光沢性に富んだ写真を作成する方法が提案されている（特許文献１、２を参照）。
【０００４】
特許文献１の装置は、光透過性基体に画像を形成し、光透過性基体の画像担持面に裏打ち層を貼り合わせることにより、光透過性基体の表面が写真の表面となる、光沢性に富んだ写真を作成し、特許文献２の装置は、光透過媒体と光反射媒体の何れか一方に色材層を形成し、他方には加熱により接着性を有する媒体を全体（一様）に付着し、両者を併せて定着することにより、一枚の光沢画像を作成する。
【発明の概要】
【発明が解決しようとする課題】
【０００５】
上記したように、電子写真で光透過媒体に画像を形成したサンプルを反射サンプルとして扱う場合、特許文献１、２のように光透過媒体と光反射媒体とを光学的に密着させるのではなく、あえて光学的に密着させない方が再現色の彩度が向上することを、本発明者は実験などで確認した。
【０００６】
光学密着について図１を用いて説明する。図１（ａ）は光学的に密着されている状態（以下、光学密着あり）、（ｂ）は光学的に密着されていない状態（以下、光学密着なし）である。すなわち、通常の電子写真プロセスで作成されるサンプルは「光学密着あり」のサンプルに相当し、トナー（色材）層と紙との間に空気層が存在している場合は、「光学密着なし」のサンプルに相当する。
【０００７】
また、電子写真で光透過媒体にＣＭＹベタを画像形成したサンプルに対し「光学密着あり／なし」で反射サンプルを作成し、彩度を実測した例を図１（ｃ）のａ＊ｂ＊平面に示す。図１（ｃ）では、「光学密着なし」の方が彩度が向上していることが分かる。
【０００８】
以下、その理由について説明する。
（１）「光学密着あり」よりも、「光学密着なし」の方が単位面積当たりで受光される光の強度が大きい。
【０００９】
図２、図３（ａ）、（ｂ）を用いて説明する。これらの図は４５度で入射した光が０度で受光されるまでの光の進み方を表している（但し、理由（２）で後述する多重反射成分を含まず、反射率における第一項である）。図２は紙の上に空気層のみがある状態、図３（ａ）は紙とトナー層が光学密着ありの状態、図３（ｂ）は光学密着なしの状態を示す。図２、図３（ａ）、（ｂ）のいずれの場合も、光は紙上で均等拡散し、立体角Ωにαの光束が含まれる。ここで図２の場合、拡散光は空気中を伝播するので、図中の面Ａにはαの光束が通過する。
【００１０】
図３（ａ）に示す、光学密着ありの場合、拡散光はトナー層から空気層に抜ける際に、フレネル則に従い空気中で立体角Ω１（＞Ω）となり、拡がって伝播する。その結果として図２の面Ａの面積よりも、ｎ２倍大きい面Ｂをαの光束が通過する。ここで、ｎはトナー層の屈折率である。つまり図３（ａ）の場合、光の強度（光の密度）は図２の場合よりも減少する。
【００１１】
図３（ｂ）に示す、光学密着なしの場合、拡散光は空気層からトナー層に抜ける際に、フレネル則に従いトナー層中で立体角Ω２（＜Ω）となり、狭くなって伝播する。次に、トナー層から空気層に抜ける際にも再びフレネル則に従うため、空気中では立体角Ωにもどって伝播する。その結果として、図２の面Ａの面積と同等の大きさである面Ｃをαの光束が通過する。つまり図３（ｂ）の場合、光の強度（光の密度）は、図２の場合と同等であるので、「光学密着あり」よりも、「光学密着なし」の方が測定機器で受光される単位面積あたりの光の強度が大きく、反射率が高い。
【００１２】
本発明者が簡単な光線追跡を用いて検証した結果、トナー層の屈折率が１．５で、「光学密着ありの反射率」に対する「光学密着なしの反射率」の比率（ｒａｔｅ）は約２．１４であった。
（２）反射光に占める多重反射光の比率が大きいほど、「光学密着あり、なし」の反射率の差分が小さくなる。
【００１３】
図４（ａ）、（ｂ）を用いて説明する。Ｗｉｌｌｉａｍｓ＆Ｃｌａｐｐｅｒ理論によると、本来、空気層とトナー層の間を光が往復運動を行う多重反射光が存在する。図４（ａ）は「光学密着あり」の多重反射を示し、図４（ｂ）は「光学密着なし」の多重反射を示す。このとき、トナー層と空気層の界面において、フレネル内部反射により透過光が４〜５％損失する。多重反射の回数が同じでも、図４（ｂ）に示す「光学密着なし」の場合は、図４（ａ）に示す「光学密着あり」の場合よりも、フレネル内部反射の回数が多いため透過光の減衰が早い。その結果、多重反射を繰り返した光が受光されると、前記の比率（ｒａｔｅ）が一層小さくなる。つまり、受光される反射光に占める多重反射光の比率が大きいほど、「光学密着あり、なし」の反射率の差分が小さくなる、と考えられる。
（３）トナー層の透過率が高いほど、全反射光に対する多重反射光への寄与が大きい。
【００１４】
図５（ａ）を用いて説明する。図５（ａ）は、Ｗｉｌｌｉａｍｓ＆Ｃｌａｐｐｅｒ理論を用いて、反射率における第一項（多重反射なし）の占める割合を透過率ごとに計算した結果であり、横軸が透過率、縦軸が第一項の占める比率である。図５（ａ）では、トナー層の透過率が高いほど第一項の占める割合が小さい。つまり、トナー層の透過率が高いほど多重反射光が占める割合が高い結果となった。
【００１５】
これを上記（１）〜（３）を基に推測すると、「光学密着ありの反射率」に対する「光学密着なしの反射率」の比率は、トナー層の吸収帯域では約２倍で、トナー層の透過率が高くなると小さくなる。ここで、トナー層の吸収帯域は反射サンプルでも吸収帯域であり、トナー層の透過帯域は反射サンプルでは反射帯域である。
【００１６】
これを図で表すと図５（ｂ）となる。図５（ｂ）の縦軸は反射率であり、図中のデータは「光学密着あり、なし」の結果である。上記説明した（１）〜（３）により、
「光学密着あり」の状態において、
・Ｃ（反射率が高い、すなわち反射帯域）では、多重反射光が占める割合が多いため「光学密着なし」の状態にしても反射率の変化が小さい。
・Ｂ（反射率が中程度）の帯域では、「光学密着なし」の状態にすると反射率が向上する。
・Ａ（反射率が低い、すなわち吸収帯域）では、多重反射光が占める割合が小さいため「光学密着なし」の状態にすると反射率が約２倍高くなる。しかし、元々「光学密着あり」の状態で反射率が低いため、反射率の差分値は小さく、その結果、反射率のレンジである０〜１００％に換算すると反射率の変化は小さいとみなせる。すなわち、「光学密着あり、なし」で反射率の変化が著しいのは、吸収帯域でも反射帯域でもない帯域、つまりＢの帯域である。
【００１７】
ここで分光反射率と彩度の関係を説明すると、彩度が高い、すなわちａ＊ｂ＊値が高くなるためには、分光反射率において反射帯域と吸収帯域の高低差が大きくなくてはならない。つまり、「光学密着あり」の状態から「光学密着なし」の状態にした時に、彩度が上がる理由は、吸収帯域において変化が少なく、かつ反射帯域において反射率が上がるためである。
【００１８】
図６は、「光学密着あり、なし」の分光反射率の実測データである。図６では、特にシアントナーの効果が大きいことが分かる。従って、図６のシアンのように、反射帯域（図６のシアンの場合は約４２０〜５７０ｎｍ）において、元々反射率がそれほど高くなく、そのために彩度再現性が悪かった色材に対して、光学密着しないことにより、上記説明した理由によって彩度が向上する。また、彩度が出にくい色の他に、２次色にも効果が大きい。
【００１９】
ところで、電子写真により写真画像を出力する際に、従来の課題としては、光沢性の他に、広い色再現域すなわち広域ガマットを確保することである。電子写真では顔料色材を使用するため、インクジェットの染料色材と比較すると透明性で劣り、とりわけ混色の高彩度の再現が困難であった。また、インクジェットでは、総量規制を抑えつつ広域ガマットを実現するために容易にインク種類を増やすことが可能であるが、電子写真で色数を増やすには、感光体の数を増やして対応しなくてはならないため、構造が複雑化し、また安定性が低下し、現実的ではない。
【００２０】
本発明は上記した課題に鑑みてなされたもので、
本発明の目的は、光透過媒体に画像を形成し、光透過媒体と光反射媒体とを接着する画像形成装置において、高彩度の色再現画像を可能とした質感のあるカラープリントを作成できる画像形成装置、画像形成方法およびプリント媒体を提供することにある。
【課題を解決するための手段】
【００２１】
本発明は、画像形成トナーを用いて光透過媒体に画像を形成する画像形成手段と、
前記画像のｎ×ｍ画素の領域毎に、前記光透過媒体と光反射媒体とを接着させる接着面積率を色情報に応じて設定する接着処理手段と、
前記接着面積率に基づいて前記光透過媒体の接着領域に接着トナーを付着する付着手段と、
前記光透過媒体に接着トナーが付着した面に前記光反射媒体が接するように整合し、定着する定着手段とを有することを特徴とする
【００２２】
本発明では、画像が形成された光透過媒体を光反射媒体に接着してプリント媒体を作成する際に、接着を行う領域を画像情報に応じて設定し、高彩度の色再現が可能なカラープリントを作成する。
【００２３】
本発明では、画像の色情報を用いて接着を行う領域を設定し、高彩度の色再現が可能なカラープリントを作成する。
【００２４】
本発明では、画像の色情報を用いて接着面積率を制御し、高彩度の色再現が可能なカラープリントを作成する。
【００２５】
本発明では、画像の色情報と中間調処理データを用いて接着ドット位置を選択し、高彩度の色再現が可能なカラープリントを作成する。
【００２６】
本発明では、入力画像の色分布情報を用いて接着特性を変更し、入力画像に適したカラープリントを作成する。
【００２７】
本発明では、接着トナーの特性を活かし、高彩度の色再現が可能なカラープリントを作成する。
【００２８】
本発明では、接着トナーの有無が決められた状態で色変換テーブルを作成し、色再現性の良いカラープリントを作成する。
【発明の効果】
【００２９】
色情報を用いて光透過媒体と光反射媒体とを接着するか否かを決定するため、高彩度の色再現が可能なカラープリントを作成できる。
【図面の簡単な説明】
【００３６】
【図１】光学的に密着されている場合と、光学的に密着されていない場合の再現色の相違を説明する図である。
【図２】空気層のみの状態での受光量を説明する図である。
【図３】光学的に密着されている状態と、光学的に密着されていない状態での受光量を説明する図である。
【図４】光学的に密着されている状態と、光学的に密着されていない状態での多重反射を説明する図である。
【図５】透過率と多重反射との関係を説明する図である。
【図６】光学的に密着されている場合と、光学的に密着されていない場合の分光反射率を示す。
【図７】本発明に係る画像形成システムの構成例を示す。
【図８】画像形成システムにおけるコンピュータと画像処理装置の処理構成を示す。
【図９】本発明の画像形成装置の構成を示す。
【図１０】実施例１の色変換処理部の構成を示す。
【図１１】接着処理を説明する図である。
【図１２】実施例１の接着処理部の構成例を示す。
【図１３】実施例２の接着処理部の構成を示す。
【図１４】実施例２の接着面積率決定部の構成を示す。
【図１５】実施例３の色変換処理部の構成を示す。
【図１６】階調画像の例を示す。
【図１７】接着トナーが打たれるドット位置の選択を説明する図である。
【図１８】実施例３の接着処理部の構成を示す。
【図１９】接着ドット決定部の処理フローチャートである。
【図２０】実施例４の色変換処理部の構成を示す。
【図２１】実施例４の接着処理パラメータ設定部の構成を示す。
【発明を実施するための形態】
【００３７】
以下、発明の実施の形態について図面により詳細に説明する。
【００３８】
図７は、本発明に係る画像形成システムの構成例を示す。画像形成システムは、コンピュータ１、画像表示装置（ディスプレイ）２、画像処理装置３、画像入力装置４、画像形成装置５から構成されている。
【００３９】
ディスプレイ２と画像処理装置３は、コンピュータ１に直接接続され、画像入力装置４と画像形成装置５は、ＬＡＮなどを介してコンピュータ１に接続されている。コンピュータ１には、各種情報処理、画像処理に関するデータ処理に用いる各種アプリケーションソフトや本発明が適用可能なプリンタドライバ等のソフトウェアが搭載されている。ディスプレイ２は、各種出力結果を表示するための表示装置である。画像処理装置３は、コンピュータ１から供給されるデバイス固有の色信号（ＲＧＢ、ＣＭＹ、ＣＭＹＫなど）を、画像形成装置５に固有の色信号に変換する処理機能を有している。また、画像処理装置３は、光透過媒体に接着トナーを付着する領域を設定するための接着処理部を有している。
【００４０】
画像入力装置４は、画像データを取り込むための入力装置であり、例えば、カラースキャナやデジタルカメラ等である。画像形成装置５は、画像データ（階調データ）に基づいて、ＯＨＰフィルムや透明フィルムなどの光透過媒体にカラー画像を形成する画像形成部と、接着トナーを付着する付着部と、定着によって用紙などの光反射媒体との一体化を行うための定着部を有している。画像形成装置５は、電子写真方式など、上記の方式で画像を形成する装置であれば特に限定されない。なお、コンピュータ１に接続される各種の入出力装置（画像表示装置、画像入力装置や画像形成装置など）の台数は上記の数に限定されない。
【００４１】
画像形成システムにおけるコンピュータ１と画像処理装置３の処理機能について図８を用いて説明する。コンピュータ１には、ドキュメントデータ１１を生成する各種アプリケーションソフト１２と、アプリケーションソフト１２から与えられるドキュメントデータ１１を画像処理装置３が処理可能な描画コマンドに変換するなど、画像形成装置５で印刷を行うために必要な処理を行うプリンタドライバ１３と、プリンタドライバ１３からの描画コマンドを格納するためのディスク（記憶手段）１４などを備えている。
【００４２】
画像処理装置３には、コンピュータ１との間で送受信する描画コマンドのＲＧＢ形式の色データに対して色変換処理を行う色変換処理部３１と、コマンド形式の画像データをラスタ形式の画像データに変換するレンダリング処理部３２と、ラスタ形式の画像データを格納するバンドバッファ３３と、バンドバッファ３３に格納されたラスタ形式の画像データを格納するページメモリ３４とを備え、コンピュータ１から送られた描画コマンドを画像形成装置５が処理可能なプリントデータに変換する機能を有している。また、色変換処理部３１には、ＣＭＹなどの色情報を用いて選択的に接着トナーを付着する領域を設定する接着処理部が備えられている。
【００４３】
この画像処理システムの動作について説明する。画像処理システムの動作の一つとして、コンピュータ１内部の画像データをディスプレイ２に表示しながら、カラー画像を形成可能な画像形成装置５によって画像を出力（印刷）させるために画像データを画像処理装置３に送出し、画像処理装置３から処理結果を受信して画像形成装置５に転送する動作がある。この場合、画像データは、一般的なカラーディスプレイにおける表示を行うための色の構成要素であるＲ（赤）、Ｇ（緑）、Ｂ（青）の色成分からなる色信号である。
【００４４】
そこで、コンピュータ１は、このＲＧＢ信号を画像処理装置３に送出し、画像処理装置３は、画像形成装置５における制御信号である出力色成分からなる色信号であるＣ（シアン）、Ｍ（マゼンタ）、Ｙ（イエロー）、Ｋ（ブラック）の信号に変換する。同時に、画像処理装置３は、接着トナーを付着する領域が設定されている接着用データを画像形成装置５に転送する。これにより、画像形成装置５は、カラー画像および接着トナーを付着する画像を形成し、定着した後にプリント媒体を出力する。
【００４５】
コンピュータ１が画像処理装置３に送出する描画コマンドを生成し、画像処理装置３が画像処理を行って画像形成装置５に画像データを出力するまでの動作を説明する。
【００４６】
ユーザーによってコンピュータ１が操作されて、コンピュータ１のアプリケーションソフト１２などを用いて画像データをディスプレイ２上に表示しながら編集が行われる。そして、編集作業が終了すると、出力する画像形成装置５を指定してアプリケーションソフト１２上で印刷を選択する。コンピュータ１はアプリケーションソフト１２で印刷が選択され、印刷プロパティで印刷が指示されると、アプリケーションソフト１２で印刷が選択された画像データをプリンタドライバ１３に渡し、プリンタドライバ１３はドキュメントデータ１１を画像処理装置３が受信可能な描画コマンドに変換し、ディスク１４に逐次保存する。
【００４７】
一方、画像処理装置３はコンピュータ１からの印刷指示を受けてプリンタドライバ１３がディスク１４に保存する描画コマンドを順次読み出して、色変換処理部３１に描画コマンドの色データを転送する。色変換処理部３１はＲＧＢ形式の色データに対して所定の色変換処理、および接着処理を行ってカラープリンタ等の画像形成装置５に適した形式のデータに変換し、このコマンド形式のデータをレンダリング処理部３２によってラスタ形式の画像データに変換してバンドバッファ３３に格納し、更に、バンドバッファ３３に格納されるラスタ形式の画像データをページバッファ３４に格納する。
【００４８】
画像処理装置３のページバッファ３４に格納された階調データをコンピュータ１によって読み出し、指定された画像形成装置５に転送することにより、画像形成装置５は被記録媒体に画像を形成して出力する。
【００４９】
以上の説明では、画像処理装置３が、色変換処理、接着処理、レンダリング処理、階調処理などを行っているが、これらの処理機能は情報処理装置としてのコンピュータ内にソフトウェア（プログラム）として、あるいは、ＡＳＩＣなどの専用処理装置として搭載することができ、また、画像形成装置側の制御部に同様にして搭載することもでき、さらに、専用のプリントサーバのような画像形成装置とは独立した制御装置によって行うこともできる。
【００５０】
図９は、本発明の画像形成装置の構成例を示す。画像形成装置５は、光透過媒体に画像形成用のカラートナーで画像を形成する画像形成部と、前記光透過媒体に接着トナーを付着する付着部と、前記光透過媒体を定着する第１の定着部と、前記定着された光透過媒体と光反射媒体を整合する整合部と、前記整合した光透過媒体と光反射媒体とを密着、接合する第２の定着部とからなる。
【００５１】
図９（ａ）に示す画像形成装置において、画像形成部は色の異なるトナー像を形成する４個の画像形成ユニット、すなわち、イエロートナー像、マゼンタトナー像、シアントナー像、ブラックトナー像をそれぞれ形成する画像形成ユニットＹ、Ｍ、Ｃ、Ｋからなり、接着トナー付着部は接着トナー用の画像形成ユニットＳからなる。これらの画像形成ユニットＹ、Ｍ、Ｃ、Ｋ、Ｓは、トナーが異なる点を除いて、電子写真プロセスの構成、作用はほぼ同じである。本発明で使用するトナーは、特許文献３に記載の製造方法により製造したトナーであり、画像形成用トナーの定着適正温度は、各色とも１６０〜１９０℃である。また、接着トナーの定着適正温度は１１０〜１９０℃である。
【００５２】
本発明の画像形成装置の動作を説明すると、各画像形成ユニットＹ、Ｍ、Ｃ、Ｋ、Ｓにおいて、４１は像担持体としてのドラム型の電子写真感光体（以下、感光体）であり、図示しない駆動部によって矢印方向（反時計回り）に回転駆動される。４２は帯電部であり、感光体４１の表面を所定の極性および電位に一様に帯電する。４３は露光部であり、感光体４１の回転方向において、帯電部４２の下流側に配置される。画像形成部における各ユニットＹ、Ｍ、Ｃ、Ｋでは、帯電部４２で一様に帯電された感光体４１の表面を画像処理装置３から送られた描画データに基づき光走査し、感光体４１上に静電潜像を形成する。
【００５３】
また、接着トナー付着部である画像形成ユニットＳでは、帯電部４２で一様に帯電された感光体４１の表面を画像処理装置３から送られた接着用データに基づき光走査し、感光体４１上に静電潜像を形成する。露光手段としては、レーザースキャナやＬＥＤアレイ等が使用できる。４４は現像器であり、感光体４１の回転方向において、露光部４３の下流側に配置され、感光体４１上の静電潜像をトナーで現像する。４５は一次転写部であり、一次転写位置Ｔ１で中間転写ベルト４７を中にして感光体４１に対向する位置に配置され、一次転写部４５の転写電界により、中間転写ベルト４７上に感光体４１上のトナー像を一次転写する。４６は感光体クリーニング部であり、転写部４５で中間転写ベルト４７に転写されなかった転写残トナーを感光体４１の表面から除去する。
【００５４】
５つの画像形成ユニットＳ、Ｙ、Ｍ、Ｃ、Ｋにおいて上記した動作が行われ、中間転写ベルト４７上に、画像形成ユニットＳで形成される接着トナー像、画像形成ユニットＹで形成されるイエロートナー像、画像形成ユニットＭで形成されるマゼンタトナー像、画像形成ユニットＣで形成されるシアントナー像、画像形成ユニットＫで形成されるブラックトナー像が、各画像形成ユニットの一次転写部Ｔ１において順に重畳されて一次転写される。これにより中間転写ベルト４７上にはイエロートナー、マゼンタトナー、シアントナー、ブラックトナーの各像の重ね合わせからなる未定着のフルカラートナー画像が合成形成されるとともに、接着トナー像が形成される。中間転写体である中間転写ベルト４７は、駆動ローラ４８、従動ローラ４９、５０で懸架され、各画像形成ユニットＹ、Ｍ、Ｃ、Ｋ、Ｓの感光体４１に接触して矢印の方向に回転駆動している。５１は二次転写部であり、二次転写位置Ｔ２で中間転写ベルト４７を中にして従動ローラ４９に対向する位置に配置される。二次転写部５１の転写電界により、図示しない給紙部から中間転写ベルト４７上のトナー像にタイミングに合わせて二次転写位置Ｔ２に導入された光透過媒体Ｐに中間転写ベルト４７上のトナー像を二次転写する。
【００５５】
光透過媒体上には原稿のカラー画像に対応したカラーのトナー像が鏡像の状態に形成され、さらにその上に接着トナー像が形成される。５２は中間転写ベルトクリーニング部であり、中間転写ベルト上の転写材に転写されずに残った転写残トナーを除去する。６０は第１の定着部であり、転写材上のトナー像を加熱、加圧し、転写材上に定着する。定着ローラ６１の内部にはヒータが配置され、温度が制御される。６２は加圧ローラである。
【００５６】
接着用トナーは画像形成トナーより低温で軟化する特性を付与しているが、前掲した特許文献３の技術によれば、高温での定着ローラオフセット性が画像形成トナーと同等であるため、画像形成用トナーと同じ定着ローラ温度で定着することができる。本発明では、第１の定着部における定着温度を１８０℃に設定した。
【００５７】
図９（ｂ）において、７０は整合部であり、図９（ａ）における第１の定着部６０から送られ、カラー画像が形成され、定着された光透過媒体Ｐは整合部７０に送られる。図示しない給紙部から光透過媒体Ｐにタイミングに合わせて整合位置Ｔ３に導入された光反射媒体Ｑに対し、接着トナーにより接着部が形成された面に光反射媒体Ｑが接するように整合する。８０は第２の定着部であり、整合部で整合された光透過媒体Ｐと光反射媒体Ｑを加熱、加圧し、接着トナーが付着されている接着部を接着する。第２の定着部に求められる機能は、画像形成装置の定着器と同じであり、本発明では、第１の定着部を流用して使用した。２つの媒体は第２の定着部８０に搬送され、加熱されることで接着用トナーのみに接着性が発現し、加圧されることで接合される。定着ローラ８１の内部にはヒータが配置され、温度が制御される。８２は加圧ローラである。接合に最適な温度は必要とされる接着力や紙の熱容量で異なるため、定着ローラの温度は本体制御部で設定変更することができる。本発明では１２５℃に設定した。最後に、このカラートナー像、および接着トナー像の固着された媒体がプリント媒体として図示しない排紙トレイへ搬出される。
【００５８】
上記の例では、画像形成部で光透過媒体上にカラー画像が形成され、接着トナー付着部で前記光透過媒体上に接着トナー画像が形成され、第１の定着部で上記光透過媒体が定着され、第２の定着部において上記光透過媒体と用紙トレイから搬送された光反射媒体とが整合され、接合されているが、例えば、画像形成部では光透過媒体上にカラー画像のみを形成、定着し、接着トナー付着部では光反射媒体上に接着トナー画像を形成、定着し、それらを接合する構成としても良い。
【実施例１】
【００５９】
実施例１は、入力画像データの各画素の再現色情報を用いて、画素毎に、光透過媒体と光反射媒体とを接着するか否かを決定する実施例である。
【００６０】
図１０は、実施例１の色変換処理部の構成を示す。図１０において、色変換処理部３１は、コンピュータ１のプリンタドライバ１３によって、色変換パラメータを設定する色変換パラメータ設定部３０７と、墨処理パラメータを設定する墨処理パラメータ設定部３０８と、γ変換パラメータを設定するγ変換パラメータ設定部３０９と、総量規制パラメータを設定する総量規制パラメータ設定部３１０と、中間調処理パラメータを設定する中間調処理パラメータ設定部３１１と、接着処理パラメータを設定する接着処理パラメータ設定部３１２とを備えている。
【００６１】
また、色変換処理部３１は、一画素ごとのＲＧＢ画像信号からＣＭＹＫ信号を生成出力するために、色変換パラメータ設定部３０７で設定された色変換パラメータを使用して、コンピュータ１から与えられる入力色信号（ＲＧＢ形式の信号）をプリント色信号（ＣＭＹ信号）に変換する色空間変換部３０１と、ＣＭＹ信号成分からＵＣＲ、ＵＣＡ率に応じてＫ成分を加えたＣＭＹＫ信号に変換する墨処理部３０２と、ＣＭＹＫ信号に対して画像形成エンジン特性に応じたγを補正してＣ’Ｍ’Ｙ’Ｋ’信号を生成出力するγ補正部３０３と、Ｃ’Ｍ’Ｙ’Ｋ’信号に対し、画像形成装置５が画像形成できる記録色材の最大総量値に応じてＣ”Ｍ”Ｙ”Ｋ”信号を生成出力する総量規制部３０４と、Ｃ”Ｍ”Ｙ”Ｋ”信号に対し、ディザ処理などの中間調処理（階調処理）を施して画像形成装置５が処理可能な階調データ（プリントデータ）に変換する中間調処理部３０５とを備えている。また、色変換処理部３１は、ＣＭＹ信号を基に、接着トナーを付着する領域を決定し、接着用データを画像形成装置５に送信するための接着処理部３０６を備えている。
【００６２】
図１１を用いて接着処理の例を詳細に説明する。図１１（ａ）は、等色相面におけるプリンタガマット断面図である。横軸は彩度、縦軸は明度を表す。図１〜図６で説明したように、光透過媒体と光反射媒体を光学密着しない方が、彩度の再現性が向上し、その効果が大きいのは最高彩度点付近の色、つまり図１１（ａ）の点ＨＰ（ハイライトポイント）付近である。
【００６３】
具体的には下記の規則に従って接着するか否かを決定する。
（１）最高彩度点近傍では、彩度向上のために、光透過媒体と光反射媒体を光学密着させない方が良い。最高彩度点は、図１１（ａ）における点ＨＰ付近の色であり、従って、最高彩度点近傍の領域では、光透過媒体と光反射媒体とを接着させない。
（２）ホワイトポイント（図１１（ａ）の点ＷＰ）近傍では、光透過媒体と光反射媒体を光学密着させない方が良い。光学密着させない方が、反射率が向上し、紙白をより白く見せることができる。従って、ホワイトポイント近傍の領域では、光透過媒体と光反射媒体とを接着させない。しかし、紙白をより白く見せる必要がなければこの限りではない。
（３）ブラックポイント近傍では、光透過媒体と光反射媒体を光学密着させた方が良い。光学密着により、反射率が下がり、黒をより黒く見せることが可能である。ブラックポイントは、図１１（ａ）の点ＢＰ付近の色であり、プリンタにおいて再現可能な黒色である。従って、ブラックポイント近傍の領域では、光透過媒体と光反射媒体とを接着させる。
【００６４】
図１２（ａ）は、実施例１の接着処理部の構成例を示す。接着処理部３０６は、上記した規則（１）〜（３）に基づいて、画素毎に接着するか否かを決定する。図１２（ａ）に示すように、接着処理部３０６は、再現色判定部４０１と接着領域決定部４０２とを備え、再現色判定部４０１では、ＣＭＹデータから彩度値、または明度値を得る。彩度値の例としてＣＩＥ１９７６Ｌ＊ａ＊ｂ＊色空間における、原点と色座標（ａ＊，ｂ＊）との距離として定義されるクロマ値、明度の例としてＣＩＥ１９７６Ｌ＊ａ＊ｂ＊色空間の明度値が挙げられる。
【００６５】
接着領域決定部４０２では、接着処理パラメータ３１２を呼び出し、再現色判定部４０１で算出された彩度値を基に、接着するか否かを画素毎に決定する。接着領域決定部４０２から出力される接着用データとして２値（接着する／しない）の画像データを画像形成装置５に送信する。
【００６６】
接着処理パラメータ３１２は、例えば彩度値、明度値を入力値とする矩形関数である。図１２（ｂ）は、入力値が彩度値の場合の接着処理パラメータの例を示す。矩形関数は彩度値を入力すると、彩度値が所定の値未満のとき、接着するという判定結果を返し、彩度値が所定の値以上のとき接着しないという判定結果を返す。あるいは、接着するを値１、接着しないを値０とした入力値の矩形関数を彩度について設定しても良いし、接着処理パラメータ３１２には、彩度、明度値を入力とした判定テーブルや閾値判定を定義しても良い。
【実施例２】
【００６７】
実施例２は、入力画像データのｎ×ｍ画素の領域毎に、色情報を用いて接着トナーを付着する接着面積率を決定する実施例である。
【００６８】
図１３は、実施例２の接着処理部の構成を示す。接着処理部３０６は、再現色判定部５０１と接着面積率決定部５０２と接着データ用中間調処理部５０３とを備えている。再現色判定部５０１では、一画素毎に入力されるＣＭＹデータの再現色から例えばＣＩＥ１９７６Ｌ＊ａ＊ｂ＊色空間における色座標点（図１１（ｂ）の点Ｐ）を得る。接着面積率決定部５０２では、ｎ×ｍ画素の領域について、色座標上の座標点から接着するための面積率データを得る。ここで得られる画像データは多値であるため、接着データ用中間調処理部５０３において、２値化処理が行われ、接着用画像データとして２値の画像データを画像形成装置５に送信する。ここで、２値化処理方式としては、ディザ方式など既存の技術を用いて構わない。
【００６９】
図１４は、接着面積率決定部５０２の構成を示す。接着面積率決定部５０２では、まず、色座標上の座標点から距離比算出部６０１において距離比Ｘｐが算出され、接着面積率１決定部６０２において接着処理パラメータ３１２を呼び出し、Ｘｐに対する第１の接着面積率ｆｘ（Ｘｐ）が決定される。同時に、色座標上の座標点から角度算出部６０３において角度θｐが算出され、接着面積率２決定部６０４において接着処理パラメータ３１２を呼び出し、θｐに対する第２の接着面積率ｆθ（θｐ）が決定される。最終面積率決定部６０５では、第１の接着面積率と第２の接着面積率を乗算した接着面積率ｆｘ（Ｘｐ）×ｆθ（θｐ）が算出される。
【００７０】
接着面積率は、実施例１で説明した規則（１）〜（３）に従って、以下のように決定する。
【００７１】
図１１（ａ）に示すように、点ＢＰを原点とし、点ＷＰに向かう軸Ｘを設定する。点ＢＰにおいてＸ＝０、点ＷＰにおいてＸ＝１である。また、図中に示す回転座標軸θを設定し、点ＷＰ、点ＢＰ、点Ｈｐによってなされる角度をθｍａｘとする。
【００７２】
図１１（ｃ）、（ｄ）は、接着面積率を算出するための関数であり、図１１（ｃ）は、Ｘに対する第１の接着面積率を決定するための関数ｆｘ（Ｘ）、図１１（ｄ）は、θに対する第２の接着面積率を決定するための関数ｆθ（θ）を表している。最終的な接着面積率は第１と第２の接着面積率の乗算、すなわち関数ｆｘ（Ｘ）とｆθ（θ）との積で求まる。例えば、
・点ＢＰにおける接着面積率は、Ｘ＝０、θ＝０より、ｆｘ（Ｘ）×ｆθ（θ）＝１
つまり、接着面積率１００％の全面接着である。
・点ＷＰの接着面積率は、Ｘ＝１、θ＝０より、ｆｘ（Ｘ）×ｆθ（θ）＝ＴＨ１（０≦ＴＨ１≦１）
・点ＨＰの接着面積率は、Ｘ＝１、θ＝θｍａｘより、ｆｘ（Ｘ）×ｆθ（θ）＝ＴＨ１×ＴＨ２（０≦ＴＨ２≦ＴＨ１）
となる。ここで、ＴＨ１×ＴＨ２は光透過媒体と光反射媒体を一体化するための最低面積率である。
【００７３】
また、色座標上の任意の点Ｐに対し、接着面積率は次のように算出される。
（１）距離比算出部６０１は、図１１（ｂ）に示す距離比Ｘｐを算出する。点ＢＰと点Ｐまでの距離をｌｐ、その延長上でガマット最外郭との交点までの距離をＬｐとすると、Ｘｐ＝（ｌｐ／Ｌｐ）となる。
（２）角度算出部６０３は、図１１（ｂ）に示す角度θｐを算出する。
（３）最終面積率決定部６０５は、点Ｐの接着面積率を算出する。接着面積率決定部６０２では、図１１（ｃ）により、入力Ｘｐに対する接着面積率ｆｘ（Ｘｐ）を算出し、接着面積率決定部６０４では、図１１（ｄ）により、入力θｐに対する接着面積率ｆθ（θｐ）を算出し、最終面積率決定部６０５は、点Ｐの接着面積率としてｆｘ（Ｘｐ）×ｆθ（θｐ）を算出する。以上の処理により、ｎ×ｍ画素の領域の再現色に応じた接着面積率が決定する。
【００７４】
接着処理パラメータ３１２の例としては、図１１（ｃ）、（ｄ）に示す関数ｆｘ（Ｘ）、ｆθ（θ）や横軸（Ｘ，θ）に対する縦軸（率）の変換テーブルが保持されている。ｆｘ（Ｘ）は入力明度に対する接着面積率を決定する関数であり、ｆθ（θ）は入力彩度に対する接着面積率を決定する関数であり、また、最終的な接着面積率ｆｘ（Ｘｐ）×ｆθ（θｐ）を用いることによって、図１１（ｂ）におけるホワイトポイントと最高彩度点の間、および最高彩度点とブラックポイントの間において、接着面積率の連続性が保たれる。
【００７５】
このように、本実施例では、入力画像の領域毎の色情報に応じて、接着トナーの付着領域の接着面積率を決定することができる。本実施例では入力ＣＭＹ信号を基に接着面積率を決定したが、例えば総量規制後のＣ”Ｍ”Ｙ”Ｋ”信号を基に接着面積率を決定することもできる。また、図１１（ｃ）、（ｄ）に示すｆｘ（Ｘ）、ｆθ（θ）は線型関数であるが、非線形関数でも良い。但し、横軸（Ｘ，θ）の増加に対し、単調減少関数でなくてはならない。また、接着処理パラメータである関数ｆｘ（Ｘ）、ｆθ（θ）は、色相ごとに決定してもよい。
【実施例３】
【００７６】
実施例３は、中間調処理後のＮ値（Ｎ≧３）画像データを基に、接着トナーを付着するドット位置を選択、決定する実施例である。
【００７７】
図１５は、実施例３の色変換処理部の構成を示す。図１５において、色変換処理部３１は、色変換パラメータ設定部７０７と、墨処理パラメータ設定部７０８と、γ変換パラメータ設定部７０９と、総量規制パラメータ設定部７１０と、中間調処理パラメータ設定部７１１と、接着処理パラメータを設定する接着処理パラメータ設定部７１２とを備えている。
【００７８】
また、色変換処理部３１は、色空間変換部７０１と、墨処理部７０２と、γ補正部７０３と、総量規制部７０４と、中間調処理部７０５と、中間調処理後のＮ値データと、画素の色情報より接着トナーの打つドット位置を決定するための接着処理部７０６とを備えている。中間調処理部７０５では、多値（Ｍ値＞Ｎ値）データをＮ値データに変換するため、例えば、画像の低濃度部では図１６（ａ）に示すようにドットが発生し、画像の中濃度部では図１６（ｂ）に示すようにドットが発生し、画像の高濃度部では図１６（ｃ）に示すようにドットが発生する。なお、図１６（ａ）〜（ｃ）は、各画素が１６階調（４値）であり、４画素に対する処理を示す（図中の黒丸は、１個のドットが打たれたこと（ドットオン）を示す）。
【００７９】
図１７（ａ）は、色情報に応じて、接着トナーが打たれる（付着される）ドット位置を選択するための説明図であり、等色相面におけるプリンタガマット断面図である。
【００８０】
以下の規則に従って、画素毎に、接着トナーが打たれるドット位置を決める。
（１）最高彩度点（図１７（ａ）の点ＨＰ）近傍では、彩度向上のために、光透過媒体と光反射媒体を光学密着させない方が良いので、カラートナーの打たれないドット位置（ドットオフの位置）を選択し、その選択されたドットオフの位置に、接着トナーを打つ。
（２）ホワイトポイント（図１７（ａ）の点ＷＰ）近傍では、光透過媒体と光反射媒体を光学密着させない方が良いので、カラートナーの打たれないドット（ドットオフの位置）を選択し、その選択されたドットオンの位置に、接着トナーを打つ。
（３）シャドー部において、３色以上のカラートナーが打たれる場合は、そのドット位置に接着トナーが重なる方が良い。光学密着を行うことによって、２次色までのドットは彩度が下がってしまうが、３色以上の色が重なる場合は明度が下がるだけだからである。ブラックトナーが打たれる場合も同様である。ここで、３色以上の色とは、それらが重なった場合に分光特性がほぼフラットになる場合に限られる。
（４）（１）〜（３）以外の色域については、任意に接着トナーの打たれるドット位置を選択してよい。すなわち、ガマット内部では、光学密着あり／なしに関わらず色変換テーブルにより色の調整が対応可能であるので、接着トナーが打たれるドット位置を任意に選択してよい。
【００８１】
図１７（ａ）のＨＰよりも高い明度域であるハイライト領域に属する色に対して、接着トナーを付着するドット位置の選択について、図１７（ｂ）を用いて説明する。
【００８２】
図１７（ｂ）における横軸は彩度Ｃであり、縦軸は接着トナーが打たれるドット位置として、カラートナーが打たれるドット位置が優先的に選択される率Ｐｃを表している。また、彩度座標上のＣＨとは、図１７（ａ）におけるＨＰの彩度値である。
【００８３】
接着トナーが打たれる接着面積率は色に応じて決定するため、一画素当たりの接着面積率が決まっている。実施例２で説明した接着面積率をｆｘ（Ｘ）×ｆθ（θ）＝Ｒとし、実施例３で使用する。図１６（ａ）〜（ｃ）で示す、一画素１６ドット再現（１６階調）の場合、接着面積率は１／１６単位で制御され、数値計算を行う場合は四捨五入を行う。
【００８４】
彩度が低い色、すなわち図１７（ａ）の領域Ｂ、図１７（ｂ）のＣ０≦Ｃ＜Ｃ１に属する色の例について説明する。そのような色においては、ドットは図１６（ａ）のように発生し、カラートナーが打たれるドットよりも打たれないドットの方が多い。図１７（ｂ）よりＰｃ＝１であるから、接着トナーの付着は、カラートナーが打たれるドット位置を優先的に選択する。まず、カラートナーが打たれるドット位置を選択し、カラートナーが打たれるドット位置を全て選択した後に、カラートナーが打たれないドット位置を選択する。一画素を構成するドット数に対し、接着トナーの打たれるドット数が規定の接着面積率であるＲを超えたところで接着トナーの付着を終了する。
【００８５】
次に、彩度が高い色、すなわち図１７（ａ）の領域Ａ、図１７（ｂ）のＣ２≦Ｃ＜ＣＨに属する色の例について説明する。そのような色においては、ドットは図１６（ｃ）のように発生し、カラートナーが打たれないドット位置よりも、カラートナーが打たれるドット位置の方が多い。図１７（ｂ）よりＰｃ＝０であるから、接着トナーの付着は、カラートナーが打たれないドット位置を優先的に選択する。まず、カラートナーが打たれないドット位置を選択し、カラートナーが打たれないドット位置を全て選択した後に、カラートナーが打たれるドット位置を選択する。一画素を構成するドット数に対し、接着トナーの打たれるドット数が規定の接着面積率であるＲを超えたところで接着トナーの付着を終了する。
【００８６】
次に、彩度が中間の色、すなわち図１７（ａ）の領域Ａと領域Ｂに挟まれた領域、図１７（ｂ）のＣ１≦Ｃ＜Ｃ２に属する色の例について説明する。そのような色においては、ドットは図１６（ｂ）のように発生し、カラートナーが打たれるドット位置と打たれないドット位置がほぼ同数存在する。
【００８７】
ここで、一画素当たりにカラードットが打たれる率を表すドット占有率Ｄを定義する。図１６（ｂ）の場合、Ｄ＝９／１６である。一方、図１７（ｂ）より、接着トナーが打たれるドット位置のうち、カラートナーが打たれるドット位置が優先的に選択される率は、彩度を入力として決定される関数に従い、本実施例の場合、Ｐｃ＝αである。
【００８８】
従って、接着トナーの付着は、
（カラートナーが打たれるドット数）：（カラートナーが打たれないドット数）＝α：（１−α）    （０≦α≦１）
の比率に応じて決まる。ここで、Ｃ１、Ｃ２、αは画像形成装置の中間調処理特性に従って決定される。
【００８９】
例えば、一画素を構成するドット数ＮがＮ＝１６、接着面積率ＲがＲ＝０．５、α＝０．３の場合を説明する。接着面積率Ｒより、接着トナーが打たれるドット数はＮ×Ｒ＝１６×０．５＝８（個）である。カラートナーが打たれるドット位置に接着トナーを付着するドット数は、Ｎ×Ｒ×α＝１６×０．５×０．３＝２．４となり、これを四捨五入して２（個）である。また、カラートナーが打たれないドット位置に、接着トナーを付着するドット数は８−２＝６（個）である。従って、上記の場合、一画素に対し、接着トナーを付着するためのドット数は８個であり、そのうち、カラートナーが打たれるドット位置を２個、カラートナーが打たれないドット位置を６個選択すればよい。ここで、ドット占有率がＤ＝９／１６の場合、カラートナーが打たれるドット位置が９個、打たれないドット位置が１６−９＝７個なので、９個のうち２個、および７個のうち６個を接着トナーを打つドット位置として選択する。また、ドット占有率がＤ＝１１／１６である場合は、カラートナーが打たれないドット位置が５個しかないので、それら全てと、カラートナーが打たれるドット位置から残りの３個を接着トナーを打つドット位置として選択する。このようにして、接着トナーの付着は、カラートナーが打たれるドット位置と打たれないドット位置の比率が可能な限りα：（１−α）に近づくように決定する。
【００９０】
一方、ある画素の再現色がシャドー領域に属する場合の接着トナーを付着するドット位置の選択は、ブラックトナーが打たれるドット位置が最優先に選択され、次に、３色が重なっているドット位置が選択される。この優先順位に従い、接着トナーが打たれる接着面積率が規定の値に達するまで接着トナーが打たれる。
【００９１】
図１８は、実施例３の接着処理部の構成を示す。図１８に示すように接着処理部７０６は、再現色判定部８０１と接着面積率決定部８０２と、接着ドット決定部８０３を備えている。再現色判定部８０１では、一画素毎に入力されるＣＭＹデータから再現色を算出する。接着面積判定部８０２では、再現色から接着面積率を決定し、接着ドット決定部８０３では、中間調処理部７０５からのＮ値データを受けて接着ドットを決定し、接着用データとして画像形成装置５に転送する。
【００９２】
図１９は、接着ドット決定部の処理フローチャートである。入力データの再現色がハイライトの場合（Ｓ９００）で、彩度が低ければ（Ｓ９０１）、まずカラートナーが打たれるドット位置に接着トナーが打たれ（Ｓ９０２）、この時点で接着トナーが打たれる接着面積率が規定の値に達していない場合は（Ｓ９０３）、接着面積率が規定の値に達するまでカラートナーが打たれないドット位置に接着トナーが打たれる（Ｓ９０４）。
【００９３】
また、入力データの再現色がハイライト、かつ彩度が高い色の場合は（Ｓ９０５）、まずカラートナーが打たれないドット位置に接着トナーが打たれ（Ｓ９０６）、この時点で、接着面積率が規定の値に達していない場合は（Ｓ９０７）、接着面積率が規定の値に達するまでカラートナーが打たれるドット位置に接着トナーが打たれる（Ｓ９０９）。
【００９４】
一方、彩度が中間の色の場合は（Ｓ９０８）、入力彩度に応じた比率に従って接着トナーが打たれる（Ｓ９０８）。再現色がシャドーの場合（Ｓ９００）は、ブラックトナーが打たれるドット位置、３色が重なるドット位置の順に従い、接着面積率が規定の値に達するまで接着トナーが打たれる（Ｓ９１０）。
【実施例４】
【００９５】
実施例４は、入力画像データの色分布に応じて接着パラメータ（接着面積率）を変更する実施例である。
【００９６】
例えば、入力画像データが全体的に彩度の高い色ばかりを使用している場合、つまり、図１１（ｃ）、（ｄ）に示すように、常に固定の接着パラメータを使用していると、入力画像によっては光透過媒体と光反射媒体との接着強度が悪くなり、一体感がなくなってしまう。そこで、実施例４では、入力画像データの色分布に応じて接着パラメータを変更する。
【００９７】
図２０は、実施例４の色変換処理部の構成を示す。図２０において、接着処理パラメータを設定する接着処理パラメータ設定部１０１２は、入力画像データを受け取って接着パラメータを書き換える。
【００９８】
図２１（ａ）は、接着処理パラメータ設定部の構成を示す。ＲＧＢデータを受け取ると、平均輝度算出部１１００は、入力画像データの平均輝度を算出する。
例えば、（平均輝度）＝ａｖｅｒａｇｅ（（Ｒ＋Ｇ＋Ｂ）／３）である。
また、平均彩度算出部１１０１は、入力画像データの平均彩度を算出する。
例えば、（平均彩度）＝ａｖｅｒａｇｅ（（｜Ｇ−Ｒ｜＋｜Ｇ−Ｂ｜）／２）である。
ここで、平均は、使用した画素数の数についてとる。
【００９９】
算出された平均輝度を用いて、書き換え部１１０２、１１０３は、接着パラメータである関数ｆｘ（Ｘ）、ｆθ（θ）を書き換える。例えば、図２１（ｂ）に示すように、横軸の平均輝度（または平均彩度）に対する、図１１（ｃ）（または図１１（ｄ））のＴＨ１（またはＴＨ２）を書き換える。
【０１００】
平均輝度（彩度）が高いほど、接着面積率であるＴＨ１（ＴＨ２）を高い値に設定する（接着面積率を高める）ことで、任意の入力画像に対して接着面積率を最適に補正することが可能である。また、接着処理部１００６は、上記書き換えた接着パラメータを使った接着処理を行う。この接着処理は、前述した実施例１〜３の処理と同様である。
【０１０１】
上記説明したように、光学密着あり／なしにより再現色が変わるということは、接着トナーの有無で再現色が変わることを意味するので、色空間変換部（３０１）における色変換パラメータの設定（３０７）は、接着トナーの有無が決められた状態で設定されることが望ましい。また、接着トナーに使用される材質の屈折率は、カラートナーの屈折率と同等かそれ以下でなくてはならない。何故なら紙から反射される光の進行方向が変わることが原因で、光学密着あり／なしによって再現色が変わるためである。
【０１０２】
なお、カラートナーの構成は、
・ポリエステル樹脂  １００重量部（屈折率１．６３）
・パラフィンワックス  ６重量部（屈折率１．４０）
・シリカ  １．５重量部（屈折率１．４６）
である。
【０１０３】
また、カラートナーの場合、上記の他にトナーの色を決める顔料が３〜６重量部入る。顔料によって屈折率は様々であるが、顔料の屈折率がバインダとなる樹脂の屈折率と大きく異なると、顔料とバインダの間で光の散乱が起こり、トナーとしての透明性が落ち、色再現範囲が狭まるので、トナーに使用される顔料の屈折率は樹脂の屈折率と同等のものを選択するのが一般的である。
【０１０４】
接着トナーの構成は、
・ポリエステル樹脂  １００重量部（屈折率１．６３）
・パラフィンワックス  １２重量部（屈折率１．４０）
・シリカ  ５重量部（屈折率１．４６）
である。
【０１０５】
最も屈折率が高いポリエステル樹脂の部数は変らず、パラフィンワックスとシリカの重量部数が増えるが、両者の屈折率はポリエステルの屈折率と近い上、構成重量部数が少ないため、トナーとしての屈折率にほぼ影響がない。また、顔料選択の場合と同様で、主原料であるポリエステル樹脂の屈折率と大きく異なる屈折率を持つ組成材を混入すると、それらの間で光の散乱が起こりトナーとしての透明性が失われるため、その様な組成材は使用することができない。従って、接着トナーの屈折率はカラートナーと同等である。
【０１０６】
以上説明したように、本発明によれば、画像形成された光透過媒体に対し、色情報に応じて接着領域を選択し、接着領域に接着トナーを付着し、光反射媒体と定着しているため、彩度の高い画像を出力することが可能となる。上記実施例では、画像形成に用いるトナーの色数を４色としたが、４色に限定されず何色でもよい。また上記実施例では電子写真を例に説明したが、光透過媒体に印刷ができるインクジェットプリンタなどにも適用可能である。
【符号の説明】
【０１０７】
３０１  色空間変換部
３０２  墨処理部
３０３  γ補正部
３０４  総量規制部
３０５  中間調処理部
３０６  接着処理部
３０７  色変換パラメータ設定部
３０８  墨処理パラメータ設定部
３０９  γ変換パラメータ設定部
３１０  総量規制パラメータ設定部
３１１  中間調処理パラメータ設定部
３１２  接着処理パラメータ設定部
【先行技術文献】
【特許文献】
【０１０８】
【特許文献１】特開平７−７２６９５号公報
【特許文献２】特開２００６−２２９０８５号公報
【特許文献３】特開２００６−１７１６０７号公報
【図１】
0005626422.tif 000002
【図２】
0005626422.tif 000003
【図３】
0005626422.tif 000004
【図４】
0005626422.tif 000005
【図５】
0005626422.tif 000006
【図６】
0005626422.tif 000007
【図７】
0005626422.tif 000008
【図８】
0005626422.tif 000009
【図９】
0005626422.tif 000010
【図１０】
0005626422.tif 000011
【図１１】
0005626422.tif 000012
【図１２】
0005626422.tif 000013
【図１３】
0005626422.tif 000014
【図１４】
0005626422.tif 000015
【図１５】
0005626422.tif 000016
【図１６】
0005626422.tif 000017
【図１７】
0005626422.tif 000018
【図１８】
0005626422.tif 000019
【図１９】
0005626422.tif 000020
【図２０】
0005626422.tif 000021
【図２１】
0005626422.tif 000022